(57)【特許請求の範囲】
【請求項１】
前側に集塵室、後側に電動送風機が備わる掃除機本体と、
前記掃除機本体に開閉回動自在に支持され、前記集塵室を開け閉めする蓋体を有する電気掃除機において、
前記支持の支点の反対側でなる前記蓋体の前側下面に設けられ、前記掃除機本体の前後方向と交差する方向に延在する板状のリブと、前記板状のリブは更に係止爪及びこの係止爪の両側に前記板状リブの一部からなる係止肩部とを有し、
前記集塵室の前側に設けられ、前記係止爪が係合離脱する係合穴を有する前壁部と、
前記前壁部の両端側に設けられ、前記板状のリブに設けた係止肩部が出入り自在に嵌合する位置決め溝を備えることを特徴とする電気掃除機。
【請求項２】
請求項１に記載された電気掃除機において、
前記係止肩部は、前記板状のリブの下端より高い上段に位置することを特徴とする電気掃除機。
【請求項３】
請求項１に記載された電気掃除機において、
前記係止爪は、前記掃除機本体を前側から見て前記板状のリブの左右中間位置に設けたことを特徴とする電気掃除機。
【請求項４】
請求項１に記載された電気掃除機において、
前記係止爪の上端面と前記係止肩部の下端をほぼ一直線状に揃うように設けたことを特徴とする電気掃除機。
【請求項５】
請求項１に記載された電気掃除機において、
前記板状のリブは、前記蓋体を閉じた際に、前記前壁部の前側に位置するように構成したことを特徴とする電気掃除機。
【請求項６】
請求項１に記載された電気掃除機において、
前記蓋体の前端側が取っ手になるように、前記板状のリブを前記蓋体の前端より後退させた位置に設けたことを特徴とする電気掃除機。
【発明の詳細な説明】
【技術分野】
【０００１】
本発明は、前側に集塵室、後側に電動送風機が備わる掃除機本体と、前記掃除機本体に開閉回動自在に支持され、前記集塵室を開け閉めする蓋体を有する電気掃除機に関するものである。
【背景技術】
【０００２】
この種の電気掃除機は、例えば、特開平１０−１７９４５７号公報（特許文献１）に記載されている。
【０００３】
この電気掃除機では、掃除機本体と蓋体の位置決め方法として、蓋体に設けたガタ防止リブと掃除機本体に設けたガタ防止リブを当接させて位置決めをし、蓋体の係止部のガタを少なくして、蓋体を開閉する操作力を安定させていた。
【０００４】
【特許文献１】特開平１０−１７９４５７号公報
【発明の開示】
【発明が解決しようとする課題】
【０００５】
しかしながら、上記電気掃除機において、蓋体の回転軸は掃除機本体に対して回転可能に軸支され、係止／係合部は蓋体と掃除機本体によって構成されているため、樹脂成形品である掃除機本体（上ケースと下ケース）は全体寸法が大きく、寸法が安定しないため、蓋体を開閉する操作力が不安定になっていた。
【０００６】
また、回転軸と、回転軸を支持する軸受との間に遊びギャップがある。この遊びギャップも蓋体の開閉操作力の不安定化になっている。
【０００７】
また、ホース接続部（ホース差込口）に力が加わると掃除機本体（下ケース）が変形して、蓋体を開閉する操作力が不安定になり、蓋体が不用意に開いてしまう不具合があった。
【０００８】
本発明は、上記従来の課題を解決しようとするもので、材料が樹脂からなる比較的大きな掃除機本体（上ケースや下ケース）の寸法が不安定（ばらつき）になっても、掃除機本体の集塵室を開け閉めする蓋体の開閉操作力が安定して維持できるようにした。
【０００９】
これと併せて、掃除機本体のホース接続部（ホース差込口）近傍に設けた運搬用ハンドルにより掃除機本体を持ち上げたときにホース接続部（ホース差込口）に力が加わっても、蓋体の開閉操作力が不安定になることがなく、蓋体が不用意に開いてしまうことのない使い勝手の良い電気掃除機を提供することを目的としている。
【課題を解決するための手段】
【００１０】
本発明は、前側に集塵室、後側に電動送風機が備わる掃除機本体と、掃除機本体に開閉回動自在に支持され、集塵室を開け閉めする蓋体を有する電気掃除機において、支持の支点の反対側でなる蓋体の前側下面に設けられ、掃除機本体の前後方向と交差する方向に延在する板状のリブと、板状のリブは更に係止爪及びこの係止爪の両側に板状リブの一部からなる係止肩部とを有し、集塵室の前側に設けられ、係止爪が係合離脱する係合穴を有する前壁部と、前壁部の両端側に設けられ、板状のリブに設けた係止肩部が出入り自在に嵌合する位置決め溝を備えることを特徴とする。
【発明の効果】
【００１１】
本発明によれば、掃除機本体の集塵室を開け閉めする蓋体の開閉操作力が安定して維持でき、蓋体が不用意に開いてしまうことのない使い勝手の良い電気掃除機を提供できる。
【発明を実施するための最良の形態】
【００１２】
以下、本発明の実施形態の一例を添付の図面に基づいて説明する。
【００１３】
図２は本発明の実施形態の一例に係る電気掃除機の全体外観図である。
【００１４】
電気掃除機は、掃除機本体２０４、吸口２０１、延長管２０２、吸い込みホース２０３を有する。
【００１５】
吸口２０１から吸引された塵埃は延長管２０２、ホース２０３を通り掃除機本体２０４に集塵される。
【００１６】
図１は本発明の実施形態の一例に係る掃除機本体の外観図である。
【００１７】
掃除機本体２０４は、上下に抱き合わさる上ケース１０１、下ケース１０２を有する。
【００１８】
掃除機本体２０４の内部には、集塵袋や集塵ケース（図示せず）が着脱自在に装着される集塵室１０５と、電動送風機（図示せず）が備えられる。前側に集塵室１０５、後側に電動送風機が配置される。
【００１９】
蓋体１０４は、掃除機本体２０４に開閉回動自在に取り付けられる。この蓋体１０４の開閉回動により、集塵室１０５は開け閉めされ、集塵袋や集塵ケース（図示せず）の着脱が行われる。
【００２０】
ホース接続部材１０３は、掃除機本体２０４の前部に設けられる。ホース接続部（ホース差込口）１０３０は、ホース接続部材１０３に設けられ、吸い込みホース２０３が抜き差し自在に接続される。
【００２１】
集塵室１０５を開閉する蓋体１０４は、図１、図４、図８、図９に示すように、掃除機本体２０４の上ケース１０１に軸支されており、吸込んだ塵埃を排出する際に開く。
【００２２】
蓋体１０４は、図９、図４に示すように、後側に支軸４０３を有する。この支軸４０３が掃除機本体２０４の軸受穴４０３０に回動自在に支持されて蓋体１０４は開け閉めの回動作動をする。
【００２３】
支軸４０３と軸受穴４０３０には、遊びギャップを設ける。遊びギャップは、掃除機本体２０４や蓋体１０４の寸法のばらつきを吸収して蓋体１０４の開閉回動が円滑に行われるようにしている。
【００２４】
ホース接続部材１０３は、図３に示すように、掃除機本体２０４を構成する上ケース１０１、下ケース１０２の間で挟み込むようにして固定される。ホース接続部材１０３は、ホース接続部（ホース差込口）１０３０の上側には、係合穴３０１を有する前壁部３０１０が設けられる。前壁部３０１０は集塵室１０５の前側に位置する。
【００２５】
前壁部３０１０は、両端側の上部に落ち込むように形成した位置決め溝３０２が設けられる。
【００２６】
蓋体１０４は、図４、図５に示すように、前記支軸４０３（支点）の反対側でなる前側下面に係止爪４０１をもつ板状のリブ４０４を設ける。
【００２７】
このリブ４０４の係止爪４０１は、前記前壁部３０１０の係合穴３０１に係合離脱する。係止爪４０１が係合穴３０１に係合することにより、蓋体１０４は閉じた状態が拘束され、容易に開くことはない。
【００２８】
係止肩部４０２は、図４に示すように、板状のリブ４０４に設けられる。前述した係止爪４０１は、リブ４０４の中間位置（前側から見て）に設けられるが、係止肩部４０２は、リブ４０４に設けられ、かつリブ４０４の下端より高い上段に位置するように設けられる。
【００２９】
両側の係止肩部４０２は、前記位置決め溝３０２に出入り自在に嵌合する。蓋体１０４が閉じられた際に、係止爪４０１が係合穴３０１に係合し、両係止肩部４０２が両位置決め溝３０２に嵌合する。
【００３０】
すなわち、先ほど述べたように、ホース接続部材１０３の前壁部３０１０の上部には、蓋体１０４の係止爪４０１が係止する係合穴３０１を略中心に設けているが、蓋体１０４は掃除機本体２０４の上ケース１０１に軸支（支軸４０３と軸受穴４０３０による軸支）されている。
【００３１】
掃除機本体２０４の上ケース１０１、下ケース１０２、やホース接続部材１０３の組み立て寸法のばらつき等により、係止爪４０１と係合穴３０１の位置が定まらない。
【００３２】
そこで、蓋体１０４の係止爪４０１とホース接続部材１０３の係合穴３０１の位置が常に安定して定まるように、ホース接続部材１０３の前壁部３０１０に位置決め溝３０２を設けた。位置決め溝３０２は略中央に設けた係合穴３０１に対して左右対称にそれぞれ１箇所づつ設けた。
【００３３】
これにより、蓋体１０４を閉めるとき、蓋体１０４のリブ４０４に設けた係止肩部４０２が位置決め溝３０２に嵌合する。この係止肩部４０２と位置決め溝３０２の嵌合により、上記組み立て寸法のばらつきがあっても、係止爪４０１と係合穴３０１の位置が定まるように矯正される。
【００３４】
この結果、係止爪４０１と係合穴３０１の係合が確実に行なわれる。矯正が行なわれても、支軸４０３と軸受穴４０３０には遊びギャップがあるので、蓋体１０４の開閉は円滑に行なわれる。
【００３５】
また、上記遊びギャップを超える矯正があっても、蓋体１０４の変形などに相殺吸収され、係止爪４０１と係合穴３０１の係合が行なわれる。
【００３６】
さらに、係止爪４０１と左右の係止肩部は直線状に延びた板状のリブ４０４で構成しているので、位置決め精度が更に向上し、蓋体１０４の開閉操作力を安定化させることができる。
【００３７】
また、掃除機本体２０４の前後方向と交差する方向に延在する板状のリブ４０４は、蓋体１０４の前端から後退した下面に位置に垂下するように設けられている。
【００３８】
このため、蓋体１０４のリブ４０４より前側部分は取っ手になる。ホース接続部材１０３の前壁部３０１０は、ホース接続部材１０３の前面より奥側に凹んでいるので、蓋体１０４の取っ手が掴み易く、蓋体１０４の開け閉めがし易い。
【００３９】
このように、支軸の支点の反対側でなる蓋体１０４の前側下面に設けられ、係止爪４０１を有する板状のリブ４０４と、係止爪４０１が係合離脱する係合穴３０１と、リブ４０４の両端に設けた係止肩部４０２が出入り自在に嵌合する位置決め溝３０２を備えることで、上記組み立て寸法のばらつきがあっても、係止爪４０１と係合穴３０１の位置が定まるように矯正され、係止爪４０１と係合穴３０１の係合が確実に行なわれる。
【００４０】
この結果、掃除機本体２０４の蓋体１０４を開閉する操作力は安定して維持でき、かつ、掃除機本体２０４のホース接続部近傍に設けた運搬用ハンドル７０１により掃除機本体２０４を持ち上げたときにホース接続部に力が加わっても、蓋体１０４を開閉する操作力が不安定になることがなく、蓋体１０４が不用意に開いてしまうことのない使い勝手の良い電気掃除機を提供できる。
【００４１】
図５に示すように、直線状にした板状のリブ４０４に設けた係止爪４０１の上面（平坦な上面）と両係止肩部４０２は、点線で描いた水平線４０００と直線状に揃うように設けられている。このため、材料が樹脂からなるホース接続部材１０３や蓋体１０４の寸法が比較的不安定（はらつき）であっても、蓋体１０４を安定して係止することができるので、蓋体１０４の開閉操作力を安定させることができる。
【００４２】
図６に示すように、掃除機本体２０４は、立てて収納する場合が多い。
【００４３】
掃除機本体２０４は、下ケース１０２とホース接続部材１０３の間に、ハンドル（Ａ）６０１となる凹み空間を有する。
【００４４】
掃除機本体２０４を運搬する際に、ハンドル（Ａ）６０１を使って持ち上げる。材料が樹脂からなる掃除機本体２０４（上ケース１０１や下ケース１０２）は内蔵している電動送風機（図示せず）などの重さで変形する。
【００４５】
このときホース接続部材１０３は、上ケース１０１や下ケース１０２の変形に追従して位置が変化する。
【００４６】
しかし、位置決め溝３０２と係合穴３０１は全てホース接続部材１０３に設けているので、蓋体１０４に設けた係止肩部４０２と係止爪４０１との相対位置が変化することが非常に小さい。このため、係止爪４０１と係合穴３０１の係合、および係止肩部４０２と位置決め溝３０２の嵌合は支障がなく行われる。
【００４７】
また、蓋体１０４に設けた支軸４０３の直径を小さくし、上ケース１０１の軸受穴４０３０の直径を大きくしているので、蓋体１０４はホース接続部材１０３に追従するため、係止している保持力は安定しており、運搬中に不用意に蓋体１０４が開くことがない。
【００４８】
図７に示すように、掃除機本体２０４に設けたホース接続部材１０３にはホース２０３が接続され、吸い込みホース２０３には、ハンドル（Ｂ）７０１が設けてある。
【００４９】
このハンドル（Ｂ）７０１を掴んで、掃除をしながら運搬が可能なので、非常に使い勝手の良い運搬ハンドルである。
【００５０】
しかしながら、このハンドル（Ｂ）７０１を持ち上げると、材料が樹脂からなる上ケース１０１や下ケース１０２は内蔵している電動送風機（図示せず）などの重さで変形する。
【００５１】
このときホース接続部材１０３は、上ケース１０１や下ケース１０２の変形に追従して位置が変化する。
【００５２】
しかし、位置決め溝３０２と係合穴３０１は全てホース接続部材１０３に設けているので、蓋体１０４に設けた係止肩部４０２と係止爪４０１との相対位置が変化することが非常に小さいため、運搬中に不用意に蓋体１０４が開くことがない。
【００５３】
蓋体１０４が閉じた状態では、板状のリブ４０４に前壁部３０１０の前面側に接合するように置かれ、リブ４０４の内側に存在する係止爪４０が前壁部３０１０の係合穴３０１に係合することになる。
【００５４】
このため、蓋体１０４の開け閉め操作に際して、蓋体１０４の前側部（取っ手）を掴んでも係止爪４０１、や係合穴３０１に指が触らないので安全である。
【図面の簡単な説明】
【００５５】
【図１】本発明の実施形態の一例に係る掃除機本体の外観図。
【図２】本発明の実施形態の一例に係る電気掃除機の全体外観図。
【図３】本発明の実施形態の一例に係るホース接続部材の単体外観図。
【図４】本発明の実施形態の一例に係る蓋体の単品外観図。
【図５】本発明の実施形態の一例に係る蓋体の係止部の外観図。
【図６】本発明の実施形態の一例に係る掃除機本体の収納状態外観図。
【図７】本発明の実施形態の一例に係る電気掃除機の外観図。
【図８】本発明の実施形態の一例に係る掃除機本体を上から見た外観斜視図。
【図９】本発明の実施形態の一例に係るもので、図８のＡ−Ａ断面図。
【符号の説明】
【００５６】
１０１…上ケース、１０２…下ケース、１０３…ホース接続部材、１０４…蓋体、１０５…集塵室、２０１…吸口、２０２…延長管、２０３…吸い込みホース、２０４…掃除機本体、３０１…係合穴、３０２…位置決め溝、４０１…係止爪、４０２…係止肩部、４０３…支軸、４０４：板状のリブ、６０１：ハンドル（Ａ）、７０１：ハンドル（Ｂ）。
【図１】
0004920503.tif 000002
【図２】
0004920503.tif 000003
【図３】
0004920503.tif 000004
【図４】
0004920503.tif 000005
【図５】
0004920503.tif 000006
【図６】
0004920503.tif 000007
【図７】
0004920503.tif 000008
【図８】
0004920503.tif 000009
【図９】
0004920503.tif 000010